(57)【要約】【課題】水分の吸収に起因する伸縮を防止し、隙間や反り等が生じることがなく、寸法安定性に優れた伸縮防止床材を簡単、かつ、経済的に有利に提供する。【解決手段】木質系基材１の表面に化粧シート４が貼着された床材であって、該木質系基材１の裏面、長さ方向両端部内側の全長に亘ってそれぞれ凹溝１１、１３を設けるとともに、幅方向両端部内側の全長に亘ってもそれぞれ凹溝１２、１４を設け、上記４本の凹溝１１、１２、１３、１４に接着剤５を充填したことを特徴とする。【選択図】図１
2005126989.tif 000002
【特許請求の範囲】
【請求項１】
木質系基材の表面に化粧シートが貼着された床材であって、該木質系基材の裏面、長さ方向両端部内側の全長に亘ってそれぞれ凹溝を設けるとともに、幅方向両端部内側の全長に亘ってもそれぞれ凹溝を設け、上記４本の凹溝に接着剤を充填したことを特徴とする伸縮防止床材。
【請求項２】
上記凹溝を穿設するとともに、その溝幅を１〜３ｍｍとし、木質系基材裏面の端縁から１０〜１００ｍｍの範囲内に設けられた請求項１に記載の伸縮防止床材。
【請求項３】
上記穿設された凹溝の深さが木質系基材の厚さの１／３〜２／３である請求項１に記載の伸縮防止床材。
【請求項４】
上記接着剤が軟質接着剤である請求項１に記載の伸縮防止床材。
【請求項５】
上記木質系基材を合板とＭＤＦとから構成し、該合板を複数の部分に分割するとともに、これらの部分合板をＭＤＦの裏面に、長さ方向両端部内側の全長に亘ってそれぞれ凹溝を形成するように、かつ、幅方向両端部内側の全長に亘ってもそれぞれ凹溝を形成するように接着させた請求項１に記載の伸縮防止床材。
【発明の詳細な説明】
【技術分野】
【０００１】
本発明は、伸縮防止床材に関する。さらに詳しくは、湿気等、水分に起因する伸縮を防止した伸縮防止床材に関する。
【背景技術】
【０００２】
木質系床材は、湿気等、水分を吸収することにより縦横に伸長し、乾燥して水分を失うことにより収縮する性質があり、このような伸長、収縮が繰り返される間に床面に隙間や反り等が生じ、寸法安定性が損なわれるという問題がある。そこで、上記木質系床材の裏面に防水シートを貼着したり、撥水剤を塗布する等の方法により水分の侵入を防ぎ、寸法安定性を向上させることが行なわれている。一方、木製タイルにも上記と同様な問題があるため、下記技術が提案されている。
【特許文献１】実開平６−３０３２４号公報（第１−２頁、第１図、第６図、第９図、第１０図）
【特許文献２】特開平１０−２６６５３８号公報（第１−４頁、第２、３図）
【発明の開示】
【発明が解決しようとする課題】
【０００３】
しかしながら、木質系床材の裏面に防水シートを貼着したり、撥水剤を塗布する方法は、手間がかかり、また、経済的にも有利とはいえない。また、木製タイルに関する技術も直ちに床材に適用されるとはいい難い。本発明は、このような状況の下で考え出されたものであって、湿気等、水分の吸収に起因する伸縮を防止し、隙間や反り等が生じることのない寸法安定性に優れた伸縮防止床材を簡単、かつ経済的に有利に提供することをその課題とする。
【課題を解決するための手段】
【０００４】
上記課題を解決するために、本発明においては、つぎのような技術的手段を講じている。すなわち、本発明によれば、木質系基材の表面に化粧シートが貼着された床材であって、該木質系基材の裏面、長さ方向両端部内側の全長に亘ってそれぞれ凹溝を設けるとともに、幅方向両端部内側の全長に亘ってもそれぞれ凹溝を設け、上記４本の凹溝に接着剤を充填したことを特徴とする伸縮防止床材が提供される。
【０００５】
上記凹溝を穿設するとともに、その溝幅を１〜３ｍｍとし、木質系基材裏面の端縁から１０〜１００ｍｍの範囲内に設けることが好ましい。上記穿設された凹溝の深さを木質系基材の厚さの１／３〜２／３とすることが好ましい。また、上記接着剤として、ウレタン系、エポキシ系、尿素−メラミン系接着剤等、軟質接着剤を用いることが好ましい。
【０００６】
上記木質系基材を合板とＭＤＦ（中密度繊維板）とから構成し、該合板を複数の部分に分割するとともに、これらの部分合板がＭＤＦの裏面に、長さ方向両端部内側の全長に亘ってそれぞれ凹溝を形成するように、かつ、幅方向両端部内側の全長に亘ってもそれぞれ凹溝を形成するように接着される。
【発明の効果】
【０００７】
請求項１に記載の発明は上記のとおりであり、とくに、該木質系基材の裏面、長さ方向両端部内側の全長に亘ってそれぞれ凹溝を設けるとともに、幅方向両端部内側の全長に亘ってもそれぞれ凹溝を設け、上記４本の凹溝に接着剤を充填しているため、木口からの水分の侵入を阻止し、伸縮を防止することができる。
【０００８】
上記凹溝がその溝幅を１〜３ｍｍとし、木質系基材裏面の端縁から１０〜１００ｍｍの範囲内に設けられているため、床材の強度に影響を与えることがなく、また、外観的に何ら問題なく床材の伸縮を防止することができる。
【０００９】
上記穿設された凹溝の深さが木質系基材の厚さの１／３〜２／３とされているため、この凹溝に充填した接着剤が床下の湿気等、床材の裏面から侵入する水分を十分に阻止することができる。また、接着剤を軟質接着剤とすることにより、軟質接着剤層が凹溝にかかる応力を吸収し、緩衝効果を発揮することができる。
【００１０】
上記木質系基材を合板とＭＤＦとから構成し、該合板を複数の部分に分割するとともに、これらの部分合板をＭＤＦの裏面に長さ方向両端部内側の全長に亘ってそれぞれ凹溝を形成するように、かつ、幅方向両端部内側の全長に亘ってもそれぞれ凹溝を形成するように接着させるため、合板とＭＤＦ、合板と古紙含浸紙等の複合系基材にも上記凹溝を形成することが可能となり、これらの凹溝に接着剤を充填して木口からの水分の侵入を阻止し、伸縮を防止することができる。
【発明を実施するための最良の形態】
【００１１】
以下、本発明の実施形態について、図面を参照して、詳細に説明する。図１は、本発明の第１実施形態にかかる伸縮防止床材Ａをその裏面を上にして示す斜視図である。図２は、上記伸縮防止床材Ａの凹溝に軟質接着剤を充填した状態を示す側断面図である。図１、図２において、合板等、木質系基材１の表面には化粧シート４が貼着され、上記木質系基材１の裏面の長さ方向両端部内側には、その全長に亘って凹溝１１、１３が穿たれるとともに、幅方向両端部内側にも、その全長に亘って凹溝１２、１４が穿たれている。また、長さ方向側面には、実結合をするための雄実６１、雌実６２が設けられている。
【００１２】
図１、図２によく示されているように、溝幅ｗ＝１〜３ｍｍとされた凹溝１１、１３は、木質系基材１の裏面の長さ方向端縁から、ａ＝１０〜１００ｍｍの範囲内に穿たれ、同様に、溝幅ｗ＝１〜３ｍｍとされた凹溝１２、１４は、木質系基材１の裏面の幅方向端縁から、ａ＝１０〜１００ｍｍの範囲内に穿たれている。その深さｄは、いずれも木質系基材１の厚さｔの１／３〜２／３とされ、このようにして穿たれた凹溝１１、１２、１３、１４には、軟質接着剤５が充填される。
【００１３】
図３は、本発明の第２実施形態にかかる伸縮防止床材Ｂをその裏面を上にして示す分解斜視図である。本実施形態においては、木質系基材１として、合板２とＭＤＦ３とからなる複合基材を用いる。すなわち、図３によく示されているように、合板２は、伸縮防止床材Ｂの長さ方向端部を構成する縦方向部２１１と２３１、および上記縦方向部２１１、２３１の一部と幅方向端部を構成する幅方向部２２１と２４１、そして中央部２０の複数の部分に分割されている。縦方向部２１１の側面には実結合をするための雌実６２および縦方向部２３１の側面には雄実６１が設けられている。
【００１４】
図４は、上記のように、分割、分離された各構成部分を、表面に化粧シート４を貼着したＭＤＦ３の裏面に、接着剤５により接着してその長さ方向全長に亘って凹溝１１、１３を形成させ、また、幅方向の全長に亘って凹溝１２、１４を形成させ、一体化した状態を示す斜視図である。このとき、接着に用いる接着剤としては、凹溝に充填する軟質接着剤５が用いられる。このようにして、合板２とＭＤＦ３とを接着させてなる複合基材に凹溝１１、１２、１３、１４を形成することができる。
【００１５】
図５は、図４に示す伸縮防止床材Ｂの凹溝に軟質接着剤を充填した状態を示す側断面図である。図４、図５によく示されているように、溝幅ｗ＝１〜３ｍｍとされた凹溝１１、１３は、ＭＤＦ３の裏面の長さ方向端縁から、ａ＝１０〜１００ｍｍの範囲内に形成され、同様に、溝幅ｗ＝１〜３ｍｍとされた凹溝１２、１４は、ＭＤＦ３の裏面の幅方向端縁から、ａ＝１０〜１００ｍｍの範囲内に形成されている。その深さｄは、いずれも合板２とＭＤＦ３の合計厚さｓの１／３〜２／３とされ、このようにして形成された凹溝１１、１２、１３、１４に軟質接着剤５が充填される。
【００１６】
以上述べたように、本発明にかかる伸縮防止床材Ａ、Ｂは、その裏面に床材自体の強度に影響を与えることなく、また、外観的に何ら問題なく凹溝を設けるとともに、該凹溝に接着剤、好ましくは、軟質接着剤を充填しているため、木口からの水分の侵入を阻止して、床材の伸縮を防止することができる。また、軟質接着剤を用いることにより、凹溝にかかる応力を吸収し、緩衝効果を発揮するため、強度的にも優れたものとなる。
【図面の簡単な説明】
【００１７】
【図１】本発明の第１実施形態にかかる伸縮防止床材をその裏面を上にして示す斜視図である。
【図２】図１に示す伸縮防止床材の凹溝に軟質接着剤を充填した状態を示す側断面図である。
【図３】本発明の第２実施形態にかかる伸縮防止床材をその裏面を上にして示す分解斜視図である。
【図４】図３に示す分解伸縮防止床材を接着一体化した状態を示す斜視図である。
【図５】図４に示す伸縮防止床材の凹溝に軟質接着剤を充填した状態を示す側断面図である。
【符号の説明】
【００１８】
１            木質系基材
１１、１３    上記裏面の長さ方向両端部内側に設けられた凹溝
１２、１４    上記裏面の幅方向両端部内側に設けられた凹溝
２            合板
２０          中央部、部分合板
２１１        縦方向部、部分合板
２３１        縦方向部、部分合板
２２１        幅方向部、部分合板
２４１        幅方向部、部分合板
３            ＭＤＦ
４            化粧シート
５            軟質接着剤
６１          雄実
６２          雌実
Ａ            伸縮防止床材
Ｂ            伸縮防止床材
【図１】
2005126989.tif 000003
【図２】
2005126989.tif 000004
【図３】
2005126989.tif 000005
【図４】
2005126989.tif 000006
【図５】
2005126989.tif 000007